(57)【要約】      （修正有）【課題】構成する各部品を１枚の透明なプラスチックフィルムにより一体的に形成することにより、加工工数及び組立工数を低減できるフェイスガードを提供する。【解決手段】フェイスガード１０のガード本体１２は使用者１１の顔１１ａを覆う大きさを有する。庇部１３は、ガード本体１２の幅方向の中央上縁に前縁が接続され、かつ使用状態で水平になる長方形状に形成される。一対の帯状片１４、１５は、庇部１３の後縁に接続され、かつガード本体１２の幅方向に延びて形成され、更に使用者１１の頭部１１ｂに巻き付け可能な長さを有する。長さ調節係止機構１６は、一対の帯状片１４、１５にそれぞれ形成され、かつ上記巻き付け可能な長さを調節可能であって互いに係止可能に構成される。ガード本体１２と庇部１３と一対の帯状片１４、１５と長さ調節係止機構１６は可撓性を有する透明プラスチックにより一体的に形成される。【選択図】図１
0003228349.tif 000002
【実用新案登録請求の範囲】
【請求項１】
使用者の顔を覆う大きさを有するガード本体と、
前記ガード本体の幅方向の中央上縁に前縁が接続され、かつ使用状態で水平になる長方形状の庇部と、
前記庇部の後縁に接続され、かつ前記ガード本体の幅方向に延びて形成され、更に前記使用者の頭部に巻き付け可能な長さを有する一対の帯状片と、
前記一対の帯状片にそれぞれ形成され、かつ前記巻き付け可能な長さを調節可能であって互いに係止可能に構成された長さ調節係止機構と
を備え、
前記ガード本体と前記庇部と前記一対の帯状片と前記長さ調節係止機構が可撓性を有する透明なプラスチックにより一体的に形成されたフェイスガード。
【請求項２】
前記長さ調節係止機構が、前記一対の帯状片のうち一方の帯状片に長手方向に間隔をあけて形成された複数又は複数対の第１係止片と、前記一対の帯状片のうち他方の帯状片に長手方向に間隔をあけて形成された複数の第１被係止部とを有し、前記複数又は複数対の第１係止片のいずれか１つ又は一対が前記複数の第１被係止部のいずれか１つに選択的に係止するように構成された請求項１記載のフェイスガード。
【請求項３】
前記ガード本体の上部両側縁に一対の第２被係止部がそれぞれ形成され、前記一対の第２被係止部に対向して前記一対の帯状片に一対の第２係止片がそれぞれ形成された請求項１又は２記載書フェイスガード。
【請求項４】
前記一対の帯状片を前記使用者の頭部に巻き付けたときに、前記長さ調節係止機構が前記使用者の耳より下方で前記一対の帯状片を互いに係止するように、前記一対の帯状片が下方に屈曲してそれぞれ形成された請求項１又は２記載のフェイスガード。
【請求項５】
前記一対の帯状片のいずれか一方又は双方に弾性変形可能な蛇腹状のプリーツがそれぞれ形成された請求項１ないし４いずれか１項に記載のフェイスガード。
【考案の詳細な説明】
【技術分野】
【０００１】
本考案は、医療従事者や対面で長時間の接客を伴う店舗の従事者等が自己の顔を保護するために着用するフェイスガードに関するものである。
【背景技術】
【０００２】
従来、弾性を有する湾曲体の外面に複数の係止体が取付けられ、これらの係止体に透明な面材を係止させることにより、面材が複数の係止体に支持されるとともに湾曲状に保持されるフェイスガードが開示されている（例えば、特許文献１（請求項１、段落［０００９］、段落［００１１］、段落［００３１］、図１〜図４）参照。）。このフェイスガードでは、湾曲体が首を外側から挟み込んだ状態で装着される。また、湾曲体が面材の下端部に位置した状態で首の正面側に装着されて、顔及び首、更には耳が面材に保護されるようになっている。なお、湾曲体を頭部に装着して使用することも可能である。
【０００３】
このように構成されたフェイスガードでは、首に装着される湾曲体に係止体が設置されているので、首付近で面材の断面が最小となり、係止体から上方で面材によって外側へ傾斜する斜面が形成される。このため、係止体が面材を湾曲体の外面付近で係止し、面材が首の位置で顔より内側に配設されても、面材は顔及び首を覆いつつ、顔との距離を確保することができる。一方、天井での塗装作業のように、上方から粉塵等が落下する場合、湾曲体を頭部に装着する方が確実に粉塵等から顔を防護することができる。また、湾曲体と面材との距離が殆どないので、頭部に設置された湾曲体で湾曲体と面材との間からの粉塵等の浸入が防止されるとともに、顔及び首、更に耳が防護される。
【先行技術文献】
【特許文献】
【０００４】
【特許文献１】特開２００９−１８９５４３号公報
【考案の概要】
【考案が解決しようとする課題】
【０００５】
しかし、上記特許文献１に示されたフェイスガードでは、湾曲体と係止体と面材とが別部材により形成されているため、加工工数及び組立工数が増大する不具合があった。また、上記特許文献１に示されたフェイスガードにおいて、湾曲体を頭部に装着して使用する場合、フェイスガードの使用者の頭部と湾曲体との間に殆ど隙間がなく、また湾曲体と面材との間の隙間は極めて小さいため、フェイスガードの使用者の顔と面材との間に熱がこもってしまう問題点もあった。また、近年、感染症（例えば、新型コロナウィルス肺炎のCOVID-19）が大流行しており、健常者や医療従事者が、上記特許文献１に示されたフェイスガードの湾曲体を首に装着して使用する場合、面材の上端が顔から離れているため、周囲の感染者が咳やくしゃみ等をすることによりウィルスを含む飛沫が飛散し、この飛沫が空気中を浮遊して面材と顔との間に斜め上方から入り、フェイスガードを使用している健常者等が上記飛沫を鼻や口から吸い込むか、或いは上記飛沫がその健常者等の目に入ることにより、上記健常者等が感染症にかかるおそれがあった。更に、上記特許文献１に示されたフェイスガードでは、湾曲体がリング状ではなく、円弧状であるため、面材に意図しない力が作用すると、その力が比較的小さくても、フェイスガードが首又は頭部から脱落してしまう問題点もあった。
【０００６】
本考案の第１の目的は、フェイスガードを構成する各部品を１枚の透明なプラスチックフィルムにより一体的に形成することにより、加工工数及び組立工数を低減できる、フェイスガードを提供することにある。本考案の第２の目的は、ガード本体と使用者の顔との間に熱がこもるのを防止できる、フェイスガードを提供することにある。本考案の第３の目的は、周囲にいる人が感染者である場合に、その感染者の咳やくしゃみ等による飛沫を、フェイスガードの使用者がその前方から顔に受けるのをガード本体が防止できるとともに、その感染者の咳やくしゃみ等による飛沫が、フェイスガードの使用者の顔とガード本体との間に斜め上方から入ることを庇部が抑制できる、フェイスガードを提供することにある。本考案の第４の目的は、ガード本体に意図しない力が作用しても、フェイスガードの使用者の頭部から脱落し難い、フェイスガードを提供することにある。本考案の第５の目的は、一対の帯状片を使用者の頭部に巻き付けたときに、フィット感を向上できる、フェイスガードを提供することにある。
【課題を解決するための手段】
【０００７】
本考案の第１の観点は、図１〜図４に示すように、使用者１１の顔１１ａを覆う大きさを有するガード本体１２と、ガード本体１２の幅方向の中央上縁に前縁が接続され、かつ使用状態で水平になる長方形状の庇部１３と、庇部１３の後縁に接続され、かつガード本体１２の幅方向に延びて形成され、更に使用者１１の頭部１１ｂに巻き付け可能な長さを有する一対の帯状片１４，１５と、一対の帯状片１４，１５にそれぞれ形成され、かつ上記巻き付け可能な長さを調節可能であって互いに係止可能に構成された長さ調節係止機構１６とを備え、ガード本体１２と庇部１３と一対の帯状片１４，１５と長さ調節係止機構１６が可撓性を有する透明プラスチックにより一体的に形成されたフェイスガード１０である。
【０００８】
本考案の第２の観点は、第１の観点に基づく考案であって、更に図３及び図４に示すように、長さ調節係止機構１６が、一対の帯状片１４，１５のうち一方の帯状片１４に長手方向に間隔をあけて形成された複数又は複数対の第１係止片１６ａ，１６ａと、一対の帯状片１４，１５のうち他方の帯状片１５に長手方向に間隔をあけて形成された複数の第１被係止部１６ｂとを有し、複数又は複数対の第１係止片１６ａ，１６ａのいずれか１つ又は一対の第１係止片１６ａ，１６ａが複数の第１被係止部１６ｂのいずれか１つに選択的に係止するように構成されたことを特徴とする。
【０００９】
本考案の第３の観点は、第１又は第２の観点に基づく考案であって、更に図１、図２及び図４に示すように、ガード本体１２の上部両側縁に一対の第２被係止部１２ａ，１２ａがそれぞれ形成され、一対の第２被係止部１２ａ，１２ａに対向して一対の帯状片１４，１５に一対の第２係止片１４ａ，１５ａがそれぞれ形成されたことを特徴とする。
【００１０】
本考案の第４の観点は、第１又は第２の観点に基づく考案であって、更に図３〜図５に示すように、一対の帯状片１４，１５を使用者１１の頭部１１ｂに巻き付けたときに、長さ調節係止機構１６が使用者１１の耳１１ｃより下方で一対の帯状片１４，１５を互いに係止するように、一対の帯状片１４，１５が下方に屈曲してそれぞれ形成されたことを特徴とする。
【００１１】
本考案の第５の観点は、第１ないし第４の観点に基づく考案であって、更に図１〜図４に示すように、一対の帯状片１４，１５のいずれか一方又は双方に弾性変形可能な蛇腹状のプリーツ１４ｂ，１５ｂがそれぞれ形成されたことを特徴とする。
【考案の効果】
【００１２】
本考案の第１の観点のフェイスガードでは、ガード本体と庇部と一対の帯状片と長さ調節係止機構を可撓性のある透明プラスチックにより一体的に形成する、即ちフェイスガードを構成する各部品を１枚の透明なプラスチックフィルムにより一体的に形成したので、フェイスガードの加工工数及び組立工数を低減できる。また、使用者の顔を覆う大きさを有するガード本体の幅方向の中央上縁に長方形状の庇部の前縁を接続し、この庇部は使用状態で水平になるので、ガード本体とフェイスガードの使用者の顔との間であって庇部の両側縁に比較的大きな一対の開口部が形成されるので、使用者の呼吸等により放出された熱が上昇して一対の開口部から排出される。この結果、ガード本体と使用者の顔との間に熱がこもるのを防止できる。また、周囲にいる人が感染者である場合に、その感染者の咳やくしゃみ等による飛沫を、フェイスガードの使用者がその前方から顔に受けるのをガード本体が防止できるとともに、その感染者の咳やくしゃみ等による飛沫が、フェイスガードの使用者の顔とガード本体との間に斜め上方から入ることを庇部が抑制できる。また、庇部の両側縁に一対の開口部が形成されており、これらの開口部には上昇気流が生じているため、周囲にいる感染者の咳やくしゃみ等による飛沫が一対の開口部からガード本体とフェイスガードの使用者の顔との間に侵入し難くなっている。更に、一対の帯状片にそれぞれ形成された長さ調節係止機構により、フェイスガードの使用者の頭部への一対の帯状片の巻き付け長さを調節して一対の帯状片を互いに係止するので、ガード本体に意図しない力が作用しても、フェイスガードの使用者の頭部から脱落し難い。
【００１３】
本考案の第２の観点のフェイスガードでは、長さ調節係止機構のうち一方の帯状片に形成された複数又は複数対の第１係止片のいずれか１つ又は一対の第１係止片が、他方の帯状片に形成された複数の第１被係止部のいずれか１つに選択的に係止するので、上記と同様に、フェイスガードの使用者の頭部への一対の帯状片の巻き付け長さを調節して互いに係止する。この結果、上記と同様に、ガード本体に意図しない力が作用しても、フェイスガードの使用者の頭部から脱落し難い。
【００１４】
本考案の第３の観点のフェイスガードでは、ガード本体の上部両側縁に一対の第２被係止部をそれぞれ形成し、一対の第２被係止部に対向して一対の帯状片に一対の第２係止片をそれぞれ形成したので、一対の第２係止片を一対の第２被係止部にそれぞれ係止することにより、ガード本体が一対の帯状片に沿って湾曲する。この結果、ガード本体がフェイスガードの使用者の顔の正面のみならず両側面も覆うので、周囲にいる人が感染者である場合に、その感染者の咳やくしゃみ等による飛沫を、フェイスガードの使用者がその前方から顔に受けるのをガード本体が防止できるのみならず、フェイスガードの使用者がその両側方から顔に受けるのをガード本体が防止できる。
【００１５】
本考案の第４の観点のフェイスガードでは、一対の帯状片を使用者の頭部に巻き付けたときに、長さ調節係止機構が使用者の耳より下方で一対の帯状片を互いに係止するように、一対の帯状片を下方に屈曲してそれぞれ形成したので、一対の帯状片を使用者の頭部に巻き付けたときに、ガード本体に意図しない力が作用しても、フェイスガードの使用者の頭部から更に脱落し難くなり、フェイスガードの頭部へのフィット感を向上できる。
【００１６】
本考案の第５の観点のフェイスガードでは、一対の帯状片のいずれか一方又は双方に弾性変形可能な蛇腹状のプリーツをそれぞれ形成したので、一対の帯状片を使用者の頭部に巻き付けたときに、一対の帯状片による使用者の頭部の締め付け感を低減でき、フェイスガードの頭部へのフィット感を向上できる。
【図面の簡単な説明】
【００１７】
【図１】本考案実施形態のフェイスガードを使用者が使用している状態を示す斜視図である。
【図２】そのフェイスガードを使用者が使用している状態を示す平面図である。
【図３】そのフェイスガードを使用者が使用している状態を示す背面図である。
【図４】そのフェイスガードのガード本体と庇部と一対の帯状片と長さ調節係止機構を透明なプラスチックフィルムから打ち抜いた状態を示すフェイスガードを正面から見た展開図である。
【図５】そのフェイスガードを折畳んだ状態を示す背面図である。
【考案を実施するための形態】
【００１８】
次に本考案を実施するための形態を図面に基づいて説明する。図１〜図３に示すように、フェイスガード１０は、使用者１１の顔１１ａを覆う大きさを有するガード本体１２と、ガード本体１２の幅方向の中央上縁に前縁が接続された横長の長方形状の庇部１３と、庇部１３の後縁に接続された一対の帯状片１４，１５と、一対の帯状片１４，１５にそれぞれ形成された長さ調節係止機構１６とを備える。ガード本体１２と庇部１３と一対の帯状片１４，１５と長さ調節係止機構１６は、可撓性を有する透明なプラスチックにより一体的に形成される。この透明なプラスチックとしては、ポリエチレンテレフタレート、ポリエチレン、ポリプロピレン、ポリカーボネイト、ポリスチレン、アクリル、ポリ塩化ビニル、ナイロン等の透明なプラスチックが挙げられる。また、上記プラスチックの厚さは０．０１ｍｍ〜０．５ｍｍの範囲内であることが好ましい。
【００１９】
ガード本体１２は、この実施の形態では、上部が略方形状に形成されるとともに、下部が略半円状に形成される（図４及び図５）。このガード本体１２がフェイスガード１０の使用者１１の顔１１ａに沿って湾曲することにより、その使用者１１の顔の正面及び両側面を覆うことができるようになっている（図１及び図２）。また、庇部１３は、使用状態で水平になるように構成される。更に、一対の帯状片１４，１５は、ガード本体１２の幅方向に延びて形成されるとともに、使用者１１の頭部１１ｂに巻き付け可能な長さを有する（図１及び図３）。
【００２０】
一方、長さ調節係止機構１６は、使用者１１の頭部１１ｂに巻き付け可能な長さを調節可能であって、互いに係止可能に構成される（図３）。この長さ調節係止機構１６は、一対の帯状片１４，１５のうち一方の帯状片１４に長手方向に間隔をあけて形成された複数対の第１係止片１６ａ，１６ａと、一対の帯状片１４，１５のうち他方の帯状片１５に長手方向に間隔をあけて形成された複数の第１被係止部１６ｂとを有する（図３及び図４）。複数対の第１係止片１６ａ，１６ａは、この実施の形態では、一方の帯状片１４，１５の両側縁に互いに背中合せにかつ幅方向の外方に突出する一対の第１係止片１６ａ，１６ａが一方の帯状片１４の長手方向に沿って間隔をあけて複数対形成される。また、複数の第１被係止部１６ｂは、この実施の形態では、他方の帯状片１５の長手方向に沿って間隔をあけて複数形成された略半円状の切欠部である。上記背中合せの一対の第１係止片１６ａ，１６ａの先端間の長さは、第１被係止部１６ｂの根元の長さより大きく形成され、背中合せの一対の第１係止片１６ａ，１６ａの根元間の長さは、第１被係止部１６ｂの根元の長さより僅かに小さく形成される。そして、複数対の第１係止片１６ａ，１６ａのいずれか一対の第１係止片１６ａ，１６ａが複数の第１被係止部１６ｂのいずれか１つに選択的に係止するように構成される。なお、図３〜図５中の符号１６ｃは、略半円状の第１被係止部１６ｂの根元間を直線状に結ぶ折り目である。
【００２１】
一方、ガード本体１２の上部両側縁には、一対の第２被係止部１２ａ，１２ａがそれぞれ形成される（図１、図２、図４及び図５）。また、一対の第２被係止部１２ａ，１２ａに対向して一対の帯状片１４，１５に一対の第２係止片１４ａ，１５ａがそれぞれ形成される。一対の第２被係止部１２ａ，１２ａは、この実施の形態では、縦方向に延びる一対の長孔である。また、一対の第２係止片１４ａ，１５ａは、略半円状の切欠部である。上記略半円状の第２係止片１４ａ，１５ａの直径は、第２被係止部１２ａ，１２ａの長さより大きく形成され、略半円状の第２係止片１４ａ，１５ａの根元間の長さは、第２被係止部１２ａ，１２ａの長さより僅かに小さく形成される。
【００２２】
一方、一対の帯状片１４，１５を使用者１１の頭部１１ｂに巻き付けたときに、長さ調節係止機構１６が使用者１１の耳１１ｃより下方で一対の帯状片１４，１５を互いに係止するように、一対の帯状片１４，１５が下方に略クランク状に屈曲してそれぞれ形成される（図３〜図５）。また、一対の帯状片１４，１５の双方に弾性変形可能な蛇腹状のプリーツ１４ｂ，１５ｂがそれぞれ形成される（図１〜図５）。この実施の形態では、一方の帯状片１４に３つの折り目１４ｃで１つのプリーツ１４ｂが形成され、他方の帯状片１５に３つの折り目１５ｃで１つのプリーツ１５ｂが形成される。
【００２３】
このように構成されたフェイスガード１０を１枚の透明フィルムから打ち抜く方法を図４の展開図に基づいて説明する。ガード本体１２の上縁に沿って一対の帯状片１４，１５が延びて設けられる。また、ガード本体１２の上縁中央に、ガード本体１２の内部に食い込んだ状態で横長の長方形状の庇部１３が設けられる。この庇部１３の下縁はガード本体１２に折り目１３ａを付けた状態で連設され、庇部１３の上縁は一対の帯状片１４，１５の中央部に折り目１３ｂを付けた状態で連設される。また、ガード本体１２と帯状片１３とは切り離され、一対の帯状片１４，１５は先端に向う途中で上方に略クランク状に屈曲して形成される。また、一方の帯状片１４，１５には、複数対の第１係止片１６ａ，１６ａと、プリーツ１４ｂを形成するための３つの折り目１４ｃと、第２係止片１４ａとが設けられ、他方の帯状片１５には、複数の第１被係止部１６ｂと、プリーツ１５ｂを形成するための３つの折り目１５ｃと、第２係止片１５ａとが設けられる。更に、ガード本体１２の両側縁には、一対の第２被係止部１４ａ，１５ａが設けられる。これらの部材は、単一の抜き型により１回の工程で打ち抜いてもよいが、複数の抜き型により複数回の工程で打ち抜いてもよい。また、各折り目１３ａ，１３ｂ，１４ｂ，１５ｂ，１６ｃは、上記打ち抜きと同時に付けてもよいが、打ち抜き後に付けてもよい。このようにフェイスガード１０を構成する各部品を１枚の透明なプラスチックフィルムにより一体的に形成したので、フェイスガード１０の加工工数及び組立工数を低減できる。そして、図４に示すように打ち抜いて折り目１３ａ，１３ｂ，１４ｂ，１５ｂ，１６ｃが付けられたフェイスガード１０は、図５に示すように折畳まれた状態で梱包されて搬送される。このとき、一対の帯状部１４，１５にそれぞれ形成された３つの折り目１４ｃ，１５ｃで蛇腹状に折り曲げることによりプリーツ１４ｂ，１５ｂをそれぞれ形成する。また、フェイスガード１０を上記のように折畳むと、Ａ４サイズの書類を入れる封筒で送れる大きさになるので、送料を低減できる。
【００２４】
このように折畳まれたフェイスガード１０を受取った顧客は、先ず、ガード本体１２と庇部１３とのなす角度を９０度にし、一対の帯状片１４，１５と庇部１３とのなす角度を９０度にして、庇部１３を水平にする。次に、一対の帯状片１４，１５の一対の第２係止片１４ａ，１５ａをガード本体１２の両側縁の第２被係止部１２ａ，１２ａにそれぞれ係止する。更に、一対の帯状片１４，１５にそれぞれ形成された長さ調節係止機構１６により、フェイスガード１０の使用者１１の頭部１１ｂへの一対の帯状片１４，１５の巻き付け長さを調節して一対の帯状片１４，１５を互いに係止する。具体的には、一対の帯状片１４，１５の中央を使用者１１の額１１ｄに当接させた状態で、一対の帯状片１４，１５の巻き付け長さがフェイスガード１０の使用者１１の頭囲に略一致するように調節して、一対の帯状片１４，１５のうち一方の帯状片１４に形成された複数対の第１係止片１６ａ，１６ａのいずれか一対の第１係止片１６ａ，１６ａを、他方の帯状片１５に形成された複数の第１被係止部１６ｂのいずれか１つに選択的に係止する。この結果、ガード本体１２に意図しない力が作用しても、フェイスガード１０の使用者１１の頭部１１ｂから脱落し難い。
【００２５】
一方、一対の帯状片１４，１５をそれらの途中で下方に略クランク状に屈曲してそれぞれ形成したので、一対の帯状片１４，１５を使用者１１の頭部１１ｂに巻き付けたときに、長さ調節係止機構１６が第１被係止部１６ｂに使用者の耳より下方で一対の帯状片１４，１５を互いに係止する、即ち一方の帯状片１４に形成された第１係止片１６ａ，１６ａが他方の帯状片１５に形成された第１被係止部１６ｂに使用者１１の耳１１ｄより下方で係止する。この結果、一対の帯状片１４，１５を頭部１１ｂに巻き付けたときに、ガード本体１２に意図しない力が作用しても、フェイスガード１０の使用者１１の頭部１１ｂから更に脱落し難くなり、フェイスガード１０の頭部１１ｂへのフィット感を向上できる。また、一対の帯状片１４，１５の双方に弾性変形可能な蛇腹状のプリーツ１４ｂ，１５ｂをそれぞれ形成したので、一対の帯状片１４，１５を使用者１１の頭部１１ｂに巻き付けたときに、一対の帯状片１４，１５による頭部１１ｂの締め付け感を低減できる。この結果、フェイスガード１０の頭部１１ｂへのフィット感を向上できる。
【００２６】
一方、フェイスガード１０の使用状態で長方形状の庇部１３が水平になり、一対の第２係止片１４ａ，１５ａを一対の第２被係止部１２ａ，１２ａにそれぞれ係止することにより、使用状態でガード本体１２が一対の帯状片１４，１５に沿って湾曲するので、ガード本体１２とフェイスガード１０の使用者１１の顔１１ａとの間であって庇部１３の両側縁に比較的大きな一対の開口部１０ａ，１０ｂが形成される。この結果、使用者１１の呼吸等により放出された熱が上昇して一対の開口部１０ａ，１０ｂから排出されるので、ガード本体１２とフェイスガード１０の使用者１１の顔１１ａとの間に熱がこもるのを防止できる。また、周囲にいる人が感染者である場合に、その感染者の咳やくしゃみ等による飛沫を、フェイスガード１０の使用者１１がその前方から顔１１ａに受けるのをガード本体１２が防止できるとともに、その感染者の咳やくしゃみ等による飛沫が、フェイスガード１０の使用者１１の顔１１ａとガード本体１２との間に斜め上方から入ることを庇部１３が抑制できる。このとき、庇部１３の両側縁に形成された一対の開口部１０ａ，１０ｂには上昇気流が生じているため、周囲にいる感染者の咳やくしゃみ等による飛沫が一対の開口部１０ａ，１０ｂからガード本体１２とフェイスガード１０の使用者１１の顔１１ａとの間に侵入し難くなっている。更に、一対の第２係止片１４ａ，１５ａを一対の第２被係止部１２ａ，１２ａにそれぞれ係止することにより、使用状態でガード本体１２が一対の帯状片１４，１５に沿って湾曲するので、ガード本体１２がフェイスガード１０の使用者１１の顔１１ａの正面のみならず両側面も覆う。この結果、周囲にいる人が感染者である場合に、その感染者の咳やくしゃみ等による飛沫を、フェイスガード１０の使用者１１がその前方から顔１１ａに受けるのをガード本体１２が防止できるのみならず、フェイスガード１０の使用者１１がその両側方から顔１１ａに受けるのをガード本体１２が防止できる。
【００２７】
なお、上記実施の形態では、一対の帯状片の双方に弾性変形可能な蛇腹状のプリーツをそれぞれ形成したが、一対の帯状片のいずれか一方に弾性変形可能な蛇腹状のプリーツをそれぞれ形成してもよい。また、上記実施の形態では、蛇腹状のプリーツを３つの折り目で１つ形成したが、蛇腹状のプリーツを５つ以上の折り目で２つ以上形成してもよい。更に、上記実施の形態では、一対の帯状片のうち一方の帯状片に長手方向に間隔をあけて複数対の第１係止片を形成したが、一方の帯状片に長手方向に間隔をあけて複数の第１係止片を形成してもよい。この場合、複数の第１係止片のいずれか１つの第１係止片が複数の第１被係止部のいずれか１つに選択的に係止するように構成される。
【符号の説明】
【００２８】
１０  フェイスガード
１１  フェイスガードの使用者
１１ａ  使用者の顔
１１ｂ  使用者の頭部
１１ｃ  使用者の耳
１２  ガード本体
１２ａ  第２被係止部
１３  庇部
１４，１５  帯状片
１４ａ，１５ａ  第２係止片
１４ｂ，１５ｂ  プリーツ
１６  長さ調節係止機構
１６ａ  第１係止片
１６ｂ  第１被係止部
【図１】
0003228349.tif 000003
【図２】
0003228349.tif 000004
【図３】
0003228349.tif 000005
【図４】
0003228349.tif 000006
【図５】
0003228349.tif 000007